(57)【特許請求の範囲】
【請求項１】
建造物内に設置され前面が開放された盤本体を有し、
前記盤本体は、前記建造物の外部から引き込まれた先行配線に接続されるインフラ機器を収納するインフラ収納部と、電気通信事業者によって管理されるキャリア機器を収納するキャリア収納部とが別々に設けられており、
前記盤本体は、前記インフラ収納部の前面を覆う内カバーを有しており、当該内カバーの前方に前記インフラ機器と前記キャリア機器との少なくとも一方に接続されるユーザ機器を収納するユーザ機器収納部を有する
ことを特徴とするマルチメディア情報盤。
【請求項２】
前記内カバーは、磁性体からなることを特徴とする請求項１に記載のマルチメディア情報盤。
【請求項３】
前記内カバーは、下端部から前方に突出しており前記ユーザ機器が載置される載置台を有することを特徴とする請求項１または請求項２に記載のマルチメディア情報盤。
【請求項４】
前記盤本体は、前記インフラ収納部と前記キャリア収納部とを分離する仕切壁を有することを特徴とする請求項１ないし請求項３のいずれか１項に記載のマルチメディア情報盤。
【発明の詳細な説明】
【技術分野】
【０００１】
本発明は、住宅の壁などに取り付けられ各種の情報機器を収納するマルチメディア情報盤に関する。
【背景技術】
【０００２】
従来から、この種のマルチメディア情報盤として、建造物の外部から引き込まれた先行配線に接続されるインフラ機器を、収納可能に構成された情報盤が提供されている。ここでいうインフラ機器は、テレビジョン放送用のブースタや分配器等の放送系（映像系）機器や、電話端子台などを含む。この種のマルチメディア情報盤は、各部屋に設置された情報コンセントなどと接続される。
【０００３】
また、上述したようなインフラ機器に加えて、電気通信事業者（キャリア）が管理するキャリア機器についても収納可能に構成されたマルチメディア情報盤（機器収納装置）も提案されている（たとえば特許文献１参照）。ここでいうキャリア機器には、たとえばＦＴＴＨ（fiber to the home）の場合のＯＮＵ（Optical Network Unit）など、ＡＤＳＬ（Asymmetric Digital SubscriberLine）の場合のモデムなどが含まれる。
【先行技術文献】
【特許文献】
【０００４】
【特許文献１】特開２０１０−１０４０７３号公報
【発明の概要】
【発明が解決しようとする課題】
【０００５】
しかし、従来のマルチメディア情報盤においては、インフラ機器とキャリア機器とで設置スペースが分かれておらず、インフラ機器とキャリア機器とが混在するように収納されることがある。そのため、マルチメディア情報盤の設置時に、インフラ機器の設置業者がキャリア機器の設置スペースを確保していなければ、後から電気通信事業者がキャリア機器を設置しようとしても、キャリア機器をマルチメディア情報盤に収納できなくなる可能性がある。
【０００６】
また、インフラ機器は、一旦設置されると、その後に追加されたり入れ替えられたりすることは少ないのに対して、キャリア機器は、電気通信事業者の変更や契約内容の変更などによって後から追加されたり入れ替えられたりすることがある。そのため、マルチメディア情報盤にインフラ機器とキャリア機器とが混在して収納されていると、キャリア機器を設置する電気通信事業者が既に設置されているインフラ機器に触れることにより、工事責任の分界が不明確になることがある。
【０００７】
本発明は上記事由に鑑みて為されており、インフラ機器とは別にキャリア機器の収納スペースを確保でき、且つキャリア機器とインフラ機器との各設置業者における工事責任の分界が明確になるマルチメディア情報盤を提供することを目的とする。
【課題を解決するための手段】
【０００８】
本発明のマルチメディア情報盤は、建造物内に設置され前面が開放された盤本体を有し、盤本体は、建造物の外部から引き込まれた先行配線に接続されるインフラ機器を収納するインフラ収納部と、電気通信事業者によって管理されるキャリア機器を収納するキャリア収納部とが別々に設けられており、盤本体は、インフラ収納部の前面を覆う内カバーを有しており、当該内カバーの前方にインフラ機器とキャリア機器との少なくとも一方に接続されるユーザ機器を収納するユーザ機器収納部を有することを特徴とする。
【００１１】
このマルチメディア情報盤において、内カバーは、磁性体からなることが望ましい。
【００１２】
このマルチメディア情報盤において、内カバーは、下端部から前方に突出しておりユーザ機器が載置される載置台を有することがより望ましい。
このマルチメディア情報盤において、盤本体は、インフラ収納部とキャリア収納部とを分離する仕切壁を有することがより望ましい。
【発明の効果】
【００１３】
本発明は、インフラ収納部とキャリア収納部とが別々に設けられているので、インフラ機器とは別にキャリア機器の収納スペースを確保でき、且つキャリア機器とインフラ機器との各設置業者における工事責任の分界が明確になるという利点がある。
【図面の簡単な説明】
【００１４】
【図１】実施形態を示し、（ａ）はインフラ機器を収納した状態の斜視図、（ｂ）はキャリア機器を収納した状態の斜視図である。
【図２】同上の構成を示す斜視図である。
【図３】同上のユーザ機器を収納した状態の斜視図である。
【発明を実施するための形態】
【００１５】
本実施形態のマルチメディア情報盤１は、図２に示すように前面が開放された薄箱状の盤本体２を有し、盤本体２の内部に各種の情報機器を内器として収納可能に構成されている。盤本体２には、盤本体２の前面を覆うように板状の蓋体３が開閉自在に取り付けられ、蓋体３が開けられた状態では盤本体２の内部が前方に露出する。
【００１６】
内器として用いられる情報機器には、テレビジョン放送用のブースタおよび分配器、電話端子台、さらに、キャリアがＦＴＴＨの場合のＯＮＵ、キャリアがＡＤＳＬの場合のモデムなどの情報機器がある。他にも、キャリアがＦＴＴＨの場合のＶ−ＯＮＵ（visual-ONU）やＩＰ（InternetProtocol）電話モデム、キャリアがケーブルテレビの場合のモデムおよびＩＰ電話モデム、さらにはルータやＨＵＢなどのＬＡＮ（Local Area Network）用機器も内器として用いられる。
【００１７】
ここにおいて、内器としてのこれらの情報機器は、インフラ機器とキャリア機器とユーザ機器との３種類に分類されている。インフラ機器は、建造物の外部から引き込まれた先行配線に接続される機器であって、テレビジョン放送用のブースタや分配器などの放送系（映像系）機器、電話端子台などがこれに含まれる。これらのインフラ機器は、マルチメディア情報盤１の設置時にマルチメディア情報盤１と一緒に設置され、マルチメディア情報盤１に引き込まれた先行配線に接続される。
【００１８】
一方、キャリア機器は、電気通信事業者（キャリア）によって管理される機器であって、ＯＮＵ、Ｖ−ＯＮＵ、モデム、ＩＰ電話モデムなどがこれに含まれる。これらのキャリア機器は、マルチメディア情報盤１およびインフラ機器の設置後に、電気通信事業者によって設置される。
【００１９】
また、ユーザ機器は、インフラ機器とキャリア機器との少なくとも一方に接続され、ユーザ（施主）によって用意される機器であって、ルータやＨＵＢなどのＬＡＮ用機器などがこれに含まれる。ユーザ機器は、マルチメディア情報盤１およびインフラ機器の設置後に、ユーザによって設置される。
【００２０】
マルチメディア情報盤１は、盤本体２が住宅等の建造物の屋内の壁などに取り付けられた状態で使用され、盤本体２に収納された内器と各部屋に設置されているマルチメディアコンセント（情報コンセント）との間が、専用のユニットケーブル等で接続される。このようなマルチメディア情報盤１が設置されている住宅では、各部屋のマルチメディアコンセント（図示せず）への配線を１箇所から引き出すことができ、配線施工や設置後の内器のメンテナンス（点検・修理）や内器の追加、変更などが容易になる。なお、ここでいうユニットケーブルは、主としてＬＡＮケーブルと電話線とテレビジョン放送用の同軸ケーブルとがユニット化されたケーブルであって、ＣＤ（Combined Duct）管一体型やＬＡＮケーブルを複数含むユニットケーブルもある。
【００２１】
次に、本実施形態のマルチメディア情報盤１の構成について詳しく説明する。なお、以下ではマルチメディア情報盤１が壁に取り付けられた状態の上下左右を上下左右として説明するが、マルチメディア情報盤１の取り付けの向きを限定する趣旨ではない。
【００２２】
盤本体２は、たとえば合成樹脂材料からなり、図２に示すように、開口面（前面）が横長の長方形状となる略直方体状に形成されている。盤本体２の底面を形成する後壁２１の上端寄りの位置には左右両端間に亘って段差２１１が形成されており、盤本体２のうち段差２１１よりも上の部分は、他の部分に比べて前後方向の深さ寸法（奥行き寸法）が小さくなっている。
【００２３】
盤本体２は、後壁２１の背面を住宅の壁面に当てた状態でねじ等で壁に取り付けられてもよいし、壁に開口する施工孔に後部が埋め込まれた状態で壁に取り付けられてもよい。いずれの場合でも、後壁２１に段差２１１が設けられていることにより、段差２１１の上方であって後壁２１の後方には、盤本体２内に引き込まれるケーブル類が収まる空間が確保されることになる。
【００２４】
ところで、本実施形態においては、盤本体２と蓋体３とで囲まれる盤本体２の内部空間には、内器のうちインフラ機器を収納するインフラ収納部２２と、キャリア機器を収納するキャリア収納部２３とが別々に設けられている。ここでは、盤本体２の後壁２１における段差２１１の下方であって左右方向の中央よりも左端寄りの位置には、上下方向に長い仕切壁２４が形成されており、この仕切壁２４によってインフラ収納部２２とキャリア収納部２３とが分離されている。つまり、盤本体２の内部空間のうち段差２１１よりも下方の空間が仕切壁２４によって２つに仕切られており、仕切壁２４の左方の空間がインフラ収納部２２に割り当てられ、仕切壁２４の右方の空間がキャリア収納部２３に割り当てられる。
【００２５】
仕切壁２４は、上端縁が段差２１１に連続し、下端縁が盤本体２の下壁２８との間に所定幅の隙間を有するように上下方向における長さ寸法が設定されている。仕切壁２４の高さ寸法（奥行き寸法）は、ここでは段差２１１と同程度に設定されている。本実施形態では、盤本体２の内部空間のうち、仕切壁２４の左方であって仕切壁２４の下端縁よりも下方の空間には電源用端子台４が収納される。盤本体２の後壁２１の左端部には、仕切壁２４と同形状の支持壁２７が仕切壁２４と平行に設けられており、これら仕切壁２４と支持壁２７との間の空間（仕切壁２４の左方であって仕切壁２４の下端縁よりも上方の空間）がインフラ収納部２２となる。
【００２６】
インフラ収納部２２には、たとえば図１（ａ）に示すように、テレビジョン放送用のブースタと分配器と、電話線接続用の電話端子台との３台のインフラ機器５１，５２，５３が収納される。以下、ブースタ（インフラ機器５１）と分配器（インフラ機器５２）と電話端子台（インフラ機器５３）とを特に区別しないときにはまとめて「インフラ機器５０」という。
【００２７】
段差２１１のうち仕切壁２４より左側の部分はインフラ収納部２２の上面を構成し、この部分には壁裏から内器へと続くケーブルがそれぞれ挿通される第１通線孔２５１と、第２通線孔２５２と、第３通線孔２５３とが左右方向に並んで設けられている。第１通線孔２５１には、電話端子台に接続される電話線が挿通され、第２通線孔２５２には、ブースタおよび分配器に接続される同軸ケーブルが挿通され、第３通線孔２５３には、電源用端子台４に接続される電源ケーブルが挿通される。
【００２８】
電源ケーブルは、屋内配線用のＶＶＦ（Vinyl insulated Vinyl sheathedFlat-type）ケーブルが用いられ、分電盤に接続されることにより交流１００Ｖの交流電源を電源用端子台４に供給する。ここで、強電系の電源ケーブルから弱電系の内器への影響が生じにくいように、各通線孔は左端から第３通線孔２５３、第２通線孔２５２、第１通線孔２５１の順に配置されている。つまり、第３通線孔２５３から引き込まれた電源ケーブルは、盤本体２内の左端を通して電源用端子台４に接続されるので、電源ケーブルから内器への影響が生じにくくなる。
【００２９】
インフラ機器５０は、一旦設置されると、その後に追加されたり入れ替えられたりすることは少ないが、条件によってたとえばブースタおよび分配器の機種が異なる。そこで、機種に依らずに様々なインフラ機器の設置が可能なように、インフラ収納部２２に対応する後壁２１表面には木板（図示せず）が貼り付けられており、インフラ機器５０は、木ねじを用いてインフラ収納部２２の木板に固定される。つまり、形状の異なるインフラ機器５０であっても、木板に空きスペースがあれば取付可能となる。
【００３０】
ここにおいて、盤本体２は、図１（ｂ）に示すようにインフラ収納部２２の前面を覆う内カバー２６を有している。内カバー２６は、着脱可能であって、仕切壁２４と支持壁２７とに跨るように取り付けられた状態で、仕切壁２４と支持壁２７と後壁２１との間のインフラ収納部２２に収納されたインフラ機器５０を覆い隠す。したがって、内カバー２６が取り付けられた状態では、蓋体３が開放されていても、インフラ収納部２２内のインフラ機器５０は露出することはない。なお、内カバー２６は仕切壁２４と上下方向の長さ寸法が同一であって、内カバー２６が取り付けられた状態でも電源用端子台４は前方に露出する。
【００３１】
一方、キャリア収納部２３には、たとえば図１（ｂ）に示すように、ＯＮＵ、Ｖ−ＯＮＵ、モデム、ＩＰ電話モデムなどの複数台（ここでは４台）のキャリア機器６１，６２，６３，６４が収納される。以下、各キャリア機器６１，６２，６３，６４を特に区別しないときにはまとめて「キャリア機器６０」という。
【００３２】
段差２１１のうち仕切壁２４より右側の部分はキャリア収納部２３の上面を構成し、この部分には壁裏から内器へと続くケーブル類が挿通される円形開口の第４通線孔２５４が設けられている。第４通線孔２５４には、キャリア機器６０に接続されるケーブル類が挿通され、キャリアがＦＴＴＨの場合は光ファイバ、キャリアがＡＤＳＬの場合は電話線、キャリアがケーブルテレビの場合は同軸ケーブルが挿通される。
【００３３】
キャリア機器６０は、キャリア収納部２３の下面を構成する盤本体２の下壁２８に載置される。盤本体２のうち、段差２１１よりも下の部分は段差２１１よりも上の部分に比べて前後方向の深さ寸法が大きいので、キャリア機器６０の厚み寸法によっては、キャリア収納部２３にはキャリア機器６０を前後方向にも並べて配置することができる。図１（ｂ）の例では、４台のキャリア機器６０は、前後方向に２台ずつ、左右方向に２台ずつ並ぶように配置されている。
【００３４】
さらに、盤本体２は、キャリア収納部２３の前方に、キャリア収納部２３の下面から３分の１程度までの高さの衝立部２９を有している。衝立部２９は、キャリア機器６０に接続されたケーブルの余剰分が盤本体２からはみ出すことを防止したり、キャリア収納部２３に配置されているキャリア機器６０が転倒した場合にキャリア機器６０の落下を防止したりする。なお、キャリア収納部２３に対応する後壁２１表面には、キャリア機器６０をねじ固定するための木板がインフラ収納部２２と同様に貼り付けられていてもよい。
【００３５】
また、本実施形態では、盤本体２の内部空間のうち、仕切壁２４の左方であって内カバー２６の前方の空間は、図３に示すようにルータやＨＵＢなどの複数台（ここでは２台）のユーザ機器７１，７２が収納されるユーザ機器収納部２２１を構成する。つまり、ユーザ機器収納部２２１とインフラ収納部２２とは、内カバー２６によって仕切られることになる。以下、各ユーザ機器７１，７２を特に区別しないときにはまとめて「ユーザ機器７０」という。
【００３６】
具体的には、内カバー２６は後壁２１に沿って配置される主板２６１と、主板２６１の下端縁から前方に突出する載置台２６２と、載置台２６２の前端縁から上方に突出する前板２６３とを有しており、ユーザ機器７０は載置台２６２に載置される。ここでは、内カバー２６は鉄などの強磁性体からなる。これにより、磁石付きのユーザ機器７０であれば、磁石を内カバー２６に吸着させることによりユーザ機器収納部２２１に設置することが可能になる。なお、内カバー２６は、前板２６３が省略されることにより、側方から見て略Ｌ字状に形成されていてもよい。
【００３７】
盤本体２の後壁２１のうち段差２１１よりも上方であって仕切壁２４より右側の部分には、壁裏から内器へと続くケーブルがそれぞれ挿通される第５通線孔２５５と、第６通線孔２５６と、第７通線孔２５７とが左右方向に並んで設けられている。
【００３８】
第５通線孔２５５、第６通線孔２５６、第７通線孔２５７には、ユーザ機器７０あるいはキャリア機器６０に接続されるＬＡＮケーブル等がそれぞれ挿通される。さらに、これら第５通線孔２５５、第６通線孔２５６、第７通線孔２５７には、ＬＡＮ用パッチパネルのモジュール（図示せず）が取付可能であって、このモジュールに各部屋のマルチメディアコンセントからのＬＡＮケーブルを接続することも可能である。この場合、ユーザ（施主）がマルチメディア情報盤１の蓋体３を開けることがあっても、各部屋のマルチメディアコンセントに接続されているＬＡＮケーブルを直接触ることはなく、完全にインフラ機器との分離ができる。なお、ＬＡＮ用パッチパネルのモジュールを使用しない場合、ＬＡＮケーブルはユーザ機器７０等に直接接続される。
【００３９】
盤本体２に収納されたインフラ機器５０とキャリア機器６０とユーザ機器７０のうち、電源を必要とする機器は電源用端子台４に対して接続される。これにより、インフラ機器５０、キャリア機器６０、ユーザ機器７０へ交流１００Ｖの電力供給が可能となる。
【００４０】
以上説明した構成のマルチメディア情報盤１によれば、盤本体２の内部空間にインフラ収納部２２とキャリア収納部２３とが別々に設けられているので、インフラ機器５０とキャリア機器６０とを別々のスペースに収納することができる。そのため、マルチメディア情報盤１の設置時に、インフラ機器５０の設置業者が特に意識しなくても、後から電気通信事業者がキャリア機器６０を設置するためのスペースが確保されることになる。また、電気通信事業者の変更や契約内容の変更などによってキャリア機器６０が後から追加されたり入れ替えられたりすることがあっても、キャリア機器６０を設置する電気通信事業者が既に設置されているインフラ機器５０に触れることを防止できる。そのため、インフラ機器５０とキャリア機器６０とで工事責任の分界が明確になる。
【００４１】
特に、本実施形態では、インフラ収納部２２とキャリア収納部２３とが仕切壁２４によって分離されているので、インフラ収納部２２にキャリア機器６０がはみ出したり、キャリア収納部２３にインフラ機器５０がはみ出したりすることも防止できる。しかも、インフラ収納部２２の前面は内カバー２６によって覆われているので、キャリア機器６０を設置する電気通信事業者が既に設置されているインフラ機器５０に触れることを確実に防止することができる。
【００４２】
また、内カバー２６の前方には、ユーザ機器７０が収納されるユーザ機器収納部２２１が設けられているので、ユーザ（施主）は、マルチメディア情報盤１の設置後に、内カバー２６を開けることなく、ルータやＨＵＢなどのユーザ機器７０を設置することができる。したがって、ユーザがマルチメディア情報盤１内に後からユーザ機器７０を設置する場合にも、ユーザ機器収納部２２１とは内カバー２６によって分離されているインフラ収納部２２に収納されているインフラ機器５０にユーザが触れることを防止できる。
【００４３】
しかも、内カバー２６は磁性体からなるので、磁石付きのユーザ機器７０であれば、磁石を内カバー２６に吸着させることにより、ユーザは、ユーザ機器収納部２２１内のスペースを有効に利用してユーザ機器７０を設置することができる。さらに、内カバー２６は、ユーザ機器７０が載置される載置台２６２を有しているから、ユーザは、ユーザ機器７０をユーザ機器収納部２２１に簡単に設置することができる。
【符号の説明】
【００４４】
１  マルチメディア情報盤
２  盤本体
２２  インフラ収納部
２２１  ユーザ機器収納部
２３  キャリア収納部
２４  仕切壁
２６  内カバー
２６２  載置台
５０，５１，５２，５３  インフラ機器
６０，６１，６２，６３，６４  キャリア機器
７０，７１，７２  ユーザ機器
【図１】
0005616772.tif 000002
【図２】
0005616772.tif 000003
【図３】
0005616772.tif 000004